(57)【要約】【課題】  腕携帯型データ表示装置を備えた磯釣り用の魚群探知機の利用者が、簡単確実に魚群の接近を知ることができるようにすること。【解決手段】  腕携帯型データ表示装置２０は、超音波型センサー装置１０からの時間情報の無線信号を受信して魚群の接近を判定し魚群接近信号を発生する機能を備えている。腕携帯型データ表示装置２０は、モータ駆動回路２８と振動モータ２９とから成る振動型報知部を備えている。腕携帯型データ表示装置２０は、前記魚群接近信号に基づいて前記振動型報知部を駆動して利用者の腕に振動を与え、魚群の接近を報知する。【選択図】    図３
2005331323.tif 000002
【特許請求の範囲】
【請求項１】
釣り糸に取付けられて使用される浮きと兼用の容器内に収納され、水底に向けて送出した超音波が水底あるいは魚群に反射して戻ってくるまでの時間情報を無線で送信する超音波型センサー装置と、
前記超音波型センサー装置から受信したデータに基づいて水深と魚群を判定する制御部と、
振動によって利用者に前記魚群の接近を報知する振動型報知部と、
情報を表示画面に表示させる表示部と、
を有する魚群探知機。
【請求項２】
前記振動型報知部は利用者の腕に振動を与えるものであることを特徴とする請求項１に記載の魚群探知機。
【請求項３】
前記振動型報知部は、魚影の大きさに対応したパターンで振動するものであることを特徴とする請求項１または２に記載の魚群探知機。
【請求項４】
前記振動型報知部は振動モータを含むものであることを特徴とする請求項１乃至３のいずれかに記載の魚群探知機。
【請求項５】
報音によって利用者に前記魚群の接近を報知する報音装置を有する請求項1乃至４のいずれかに記載の魚群探知機。
【請求項６】
前記制御部は、前記振動報知部と前記報音装置のいずれか一方、あるいは両方を選択することを特徴とする請求項５記載の魚群探知機。
【発明の詳細な説明】
【技術分野】
【０００１】
本発明は、釣具としての浮きの機能を兼ね備えた超音波型センサー装置と、前記超音波型センサー装置からの無線信号を受信して魚群等を表示するデータ表示装置とから成る磯釣り用の魚群探知機に関する。
【背景技術】
【０００２】
釣具としての浮きの機能を持ちつつ、超音波を水底に向けて送出し、水底または魚群に反射して戻ってくるまでの時間情報を無線で送信するセンサー装置と、前記センサー装置からの無線信号を受信し、受信したデータから水深や魚群を液晶パネルに表示するデータ表示装置とから成る魚群探知機は、特許第３４９０５８９号公報（特許文献１）、特開２００２−２７２３３８号公報（特許文献２）、特開２００２−２８６８４１号公報（特許文献３）等に開示されている。
【０００３】
これら特許文献１〜３に開示の魚群探知機に用いられているデータ表示装置は、いずれも釣竿装着型データ表示装置である。ところが、釣竿装着型データ表示装置は釣竿の持ち手付近に常時装着されているので、利用者にとって表示が見づらいという問題がある。
そこで、図１に示す如く、利用者の手首に装着される腕携帯型データ表示装置２０を備えた磯釣り用魚群探知機が登場した。即ち、この磯釣り用魚群探知機は、磯釣りを楽しんでいる利用者１の腕に装着された腕携帯型データ表示装置２０と、釣竿２の先から垂れている釣り糸３に取付けられた浮き兼用の超音波型センサー装置１０とで構成されている。超音波型センサー装置１０は水底に向けて超音波を放射し、水底や魚群に反射して戻ってくるまでの時間情報を取得する。そして、超音波型センサー装置１０は、前記時間情報を腕携帯型データ表示装置２０に向けて送信アンテナ１０ａから無線送信する。腕携帯型データ表示装置２０は、超音波型センサー装置１０からの時間情報を受信し、水深と魚群を判定し、液晶表示パネルにこれらを画像表示する。
【０００４】
いずれも携帯性や操作性に工夫が凝らされているが、このようなデータ表示装置では、利用者は魚群の接近を知ることが容易ではない。液晶パネルを注視し、表示画像から魚群の接近を判定するには相当の集中力を必要とするが、釣竿を持ったままの利用者がこのような動作と判断を行うことは実際上かなり難しいからである。
【０００５】
そこで、魚群の接近を判定して魚群接近信号を発生する機能と、更に前記魚群接近信号に基づいて魚群の接近をブザー音で知らせる報音機能を備えたデータ表示装置が特許文献３に開示されている。しかしながら、釣りの太陽とする魚あるいは釣る場所によって、釣竿に装着されたデータ表示装置に報音機能を備えると、大きな音は出し難いという問題がある。大きなブザー音は釣竿に望ましくない振動を与えるからである。逆に小さな音では、風や波の音で利用者に聞こえない場合がある。従って、磯釣り用の魚群探知機のデータ表示装置に魚群の接近をブザー音で知らせる報音機能を備えたものは、必ずしも十分であるとは言えない。
【特許文献１】特許第３４９０５８９号公報
【特許文献２】特開２００２−２７２３３８号公報
【特許文献２】特開２００２−２８６８４１号公報
【発明の開示】
【発明が解決しようとする課題】
【０００６】
本発明が解決しようとする課題は、腕携帯型データ表示装置を備えた磯釣り用の魚群探知機の利用者が、簡単確実に魚群の接近を知ることができるようにすることである。
【課題を解決するための手段】
【０００７】
上記課題を解決するために、腕携帯型データ表示装置を備えた磯釣り用の魚群探知機において、前記腕携帯型データ表示装置に備えた振動型報知装置によって利用者の体に振動を与え、魚群接近を報知するようにした。
【０００８】
本発明に係る魚群探知機は、釣り糸に取付けられて使用される浮きと兼用の容器内に収納され、水底に向けて送出した超音波が水底あるいは魚群に反射して戻ってくるまでの時間情報を無線で送信する超音波型センサー装置と、前記超音波型センサー装置から受信したデータに基づいて水深と魚群を判定する制御部と、振動によって利用者に前記魚群の接近を報知する振動型報知部と、情報を表示画面に表示させる表示部と、を有する。
【０００９】
そして、前記振動型報知部は利用者の腕に振動を与えたり、魚影の大きさに対応したパターンで振動するようにしてもよい。また、前記振動型報知部は振動モータで振動を発生させるようにしてもよい。
【００１０】
また、本発明の魚群探知機は、報音によって利用者に前記魚群の接近を報知する報音装置と組み合わせることもできる。前記制御部は、前記振動報知部と前記報音装置のいずれか一方、あるいは両方を選択するようにしてもよい。
【発明の効果】
【００１１】
本発明は、腕携帯型データ表示装置を備えた磯釣り用の魚群探知機において、前記腕携帯型データ表示装置に魚群接近を振動で報知する振動型報知装置を備えたものであるから、磯釣りを楽しんでいる利用者は腕に与えられる振動によって魚群接近を簡単確実に知ることができるようになり、また、振動パターンによる魚群の大小の識別も可能になった。しかも、本発明は、魚群接近を報知する振動は釣竿には伝わらないので、釣竿に望ましくない振動が発生する恐れは全くない。また、本発明により、表示パネルを長い時間にわたって集中して見続ける必要がなくなり、利用者の負担が軽減された。更に、ブザー音等による魚群接近の報知の問題点、即ち波や風の音などによる聞こえ難さも、本発明により解消できた。
【発明を実施するための最良の形態】
【００１２】
本発明は、釣り糸に取付けられて使用される浮きと兼用の容器内に収納され、水底に向けて送出した超音波が水底あるいは魚群に反射して戻ってくるまでの時間情報を無線で送信する超音波型センサー装置と、前記超音波型センサー装置から受信したデータに基づいて水深と魚群を判定する制御部と水深などを表示画面に表示させる表示部とを備えた携帯型データ表示装置とで構成された魚群探知機において、前記携帯型データ表示装置に振動によって利用者に魚群の接近を報知する振動型報知部を更に備えさせた。
【実施例１】
【００１３】
実施例１の磯釣り用の魚群探知機は、釣具としての浮きの機能を有する超音波型センサー装置１０と、超音波型センサー装置１０からの無線信号を受信して魚群等を表示する腕携帯型データ表示装置２０とから成る。超音波型センサー装置１０は図２のブロック図に示す如き構成の装置であり、腕携帯型データ表示装置２０は図３のブロック図に示す如き構成の装置である。
【００１４】
即ち、釣具としての浮きの機能を兼ね備えた超音波型センサー装置１０は、図２のブロック図に示す如く、制御部１１と、無線送信回路１２と、超音波送受波部１４を駆動して超音波を発生し水底に向けて発信させる超音波送信回路１３と、水底や魚群などから反射して戻ってきた超音波を超音波送受波部１４を介して受信する超音波受信回路１５と、これらの構成要素を収納する浮き型容器とで構成されている。制御部１１は、超音波送信回路１３が超音波を発信させた時刻と超音波受信回路１５が水底や魚群などから反射して戻ってきた超音波を受信した時刻とから距離情報を算出するものである。無線送信回路１２は前記距離情報を腕携帯型データ表示装置２０に向けて無線送信するものである。
【００１５】
腕携帯型データ表示装置２０は、図３のブロック図に示す如く、制御部２１と、無線受信回路２２と、操作スイッチ２３と、画像型報知部と音響型報知部と振動型報知部の３種類の報知部とで構成されている。画像型報知部は表示駆動回路２４と表示装置２５とから構成され、音響型報知部は報音駆動回路２６と報音装置２７とで構成され、振動型報知部はモータ駆動回路２８と振動モータ２９とから構成されている。
【００１６】
無線受信回路２２は、超音波型センサー装置１０から無線送信されてきた距離情報を受信し、制御部２１に入力する。制御部２１は入力された距離情報を信号処理し、魚群接近の有無を判定し、魚群接近と判定した場合には魚群接近信号を発生する。続いて、制御部２１は前記魚群接近信号に基づき前記画像型報知部と音響型報知部と振動型報知部を駆動し、魚群接近を利用者に報知する。即ち、制御部２１は表示駆動回路２４を制御して表示装置２５に魚群接近をイメージまたは文字で表示する。また、制御部２１は報音駆動回路２６を制御して報音装置２７を作動させ、音で魚群接近を知らせる。更に、制御部２１はモータ駆動回路２８を制御して振動モータ２９を作動させ、魚群接近を振動で知らせる。なお、操作スイッチ２３は、画像型報知部と音響型報知部と振動型報知部のいずれを利用するかを、制御部２１に入力するスイッチである。
【００１７】
携帯型データ表示装置２０は図４に示す如き腕時計型データ表示装置であるから、魚群接近を報知する振動は利用者に確実に伝わる。また、前記振動型報知部は、魚影の大きさに対応したパターンで振動するように構成されている。例えば図５の振動波形パターンに示す如く、検出された魚影が小さい場合には２回の短時間の振動（Ａ）で、魚影が中くらいの場合には長い時間の振動（Ｂ）で、更に魚影が大きい場合にはより長い時間の振動（Ｃ）で、その旨を利用者に報知するようにする。
【図面の簡単な説明】
【００１８】
【図１】腕携帯型データ表示装置を備えた磯釣り用魚群探知機の使用状況を示した図である。
【図２】本発明の実施例１の魚群探知機を構成する超音波型センサー装置のブロック回路図である。
【図３】本発明の実施例１の魚群探知機を構成する腕携帯型データ表示装置のブロック回路図である。
【図４】本発明の実施例１の魚群探知機を構成する腕携帯型データ表示装置の模式的な平面図である。
【図５】本発明の実施例１の魚群探知機を構成する腕携帯型データ表示装置に備えられている振動モータの駆動パターンの波形図の一例である。
【符号の説明】
【００１９】
１  利用者
２  釣竿
３  釣り糸
１０  超音波型センサー装置
１０ａ  送信アンテナ
１１  制御部
１２  無線送信回路
１３  超音波送信回路
１４  超音波送受波部
１５  超音波受信回路
２０  腕携帯型データ表示装置
２１  制御部
２２  無線受信回路
２３  操作スイッチ
２４  表示駆動回路
２５  表示装置
２６  報音駆動回路
２７  報音装置
２８  モータ駆動回路
２９  振動モータ
【図１】
2005331323.tif 000003
【図２】
2005331323.tif 000004
【図３】
2005331323.tif 000005
【図４】
2005331323.tif 000006
【図５】
2005331323.tif 000007